(57)【特許請求の範囲】
【請求項１】
エアゲーム機に用いられるパックであって、
その概略形状は略円形板であり、
該パックの中心部分は硬質熱可塑性樹脂よりなり、
前記パックの外周部分は、前記パックの中心部分よりも軟化温度が低い軟質熱可塑性樹脂よりなり、
該軟質熱可塑性樹脂よりなるパック外周部分は、前記硬質熱可塑性樹脂よりなるパック中心部分に一体に溶融接合されたことを特徴とするパック。
【請求項２】
前記パックの中心部分は、自己潤滑性をもつ硬質熱可塑性樹脂よりなることを特徴とする請求項１に記載のパック。
【発明の詳細な説明】
【技術分野】
【０００１】
本発明は、エアゲーム機のプレイフィールド板に多数形成された空気噴出孔から上方へ噴出する空気によって該プレイフィールド板上を滑走するパックに関するものである。
【背景技術】
【０００２】
プレイフィールド板に多数形成された空気噴出孔から噴出する空気の噴出圧力をプレイフィールド板の位置や時間に対応して変化させて、プレイフィールド板上でパックを滑走させるエアゲーム機が、特許文献１に記載のように知られている。
このエアゲーム機では、空気噴出孔から噴出する空気の噴出圧力をプレイフィールド板の位置や時間に対応して変化させるための噴出制御装置を備えている。
【０００３】
【特許文献１】特開平８−７１２４７号公報
【発明の開示】
【発明が解決しようとする課題】
【０００４】
本発明の課題は、上記エアゲーム機で使用されるパックであって、従来とは異なる挙動を行うパックを提供することにある。
【課題を解決するための手段】
【０００５】
請求項１記載の発明は、エアゲーム機に用いられるパックであって、その概略形状は略円形板であり、該パックの中心部分は硬質熱可塑性樹脂よりなり、前記パックの外周部分は、前記パックの中心部分よりも軟化温度が低い軟質熱可塑性樹脂よりなり、該軟質熱可塑性樹脂よりなるパック外周部分は、前記硬質熱可塑性樹脂よりなるパック中心部分に一体に溶融接合されたことを特徴とするパックである。
【０００６】
請求項２記載の発明は、請求項１に記載のパックにぽいて、前記パックの中心部分は、自己潤滑性をもつ硬質熱可塑性樹脂よりなることを特徴とする。
【発明の効果】
【０００７】
請求項１記載の発明においては、パックの大部分を占める硬質熱可塑性樹脂製パック中心部分がプレイフィールド板に低い摩擦力で接触するため、パックは空気噴出孔からの噴出空気の支持力と相俟ってプレイフィールド板上をより一層軽快に滑走することができ、また、パックの外周部は軟質熱可塑性樹脂製で、硬質熱可塑性樹脂製中心部に一体に溶融接合されているため、パックがマレットやプレイフィールド板外周部の壁部等に衝突した際に、その衝撃力が大幅に緩和されるとともに、打撃騒音の発生が抑制される。
【０００８】
請求項２記載の発明においては、硬質熱可塑性樹脂製中心部が自己潤滑性をもっているので、プレイフィールド上を低い摩擦力で軽快に滑走することができる。
【発明を実施するための最良の形態】
【０００９】
図１ないし図５を参照して本発明のパックを使用するエアゲーム機の一例を説明する。
【００１０】
エアゲーム機の一種たるエアホッケーゲーム機１では、上方筺体２の下面４隅にキャスタ３が鉛直軸を中心としてそれぞれ旋回自在に取付けられるとともに、キャスタ３に隣接して伸縮脚４がそれぞれ設けられており、伸縮脚４が短縮した状態では、エアホッケーゲーム機１はキャスタ３によって床面０上を自由に移動でき、伸縮脚４が伸長した状態では、エアホッケーゲーム機１は伸縮脚４によって床面０上に据付けられ、４本の伸縮脚４の伸縮度を調整することにより、エアホッケーゲーム機１のプレイフィールド板５は水平に維持されるようになっている。
【００１１】
また、プレイフィールド板５には、空気噴出孔６が多数形成されているが、プレイフィールド板５の中心を中心として半径Ｒの円で囲まれる範囲においては、他の範囲に比べて空気噴出孔６の配置密度が長さ単位で倍、面積単位で４倍となっており、プレイフィールド板５の下面全面を覆う図示されない圧力空気室形成用カバーが設けられ、プレイフィールド板５および圧力空気室形成用カバーで密閉される図示されない圧力空気室に、図示されないモータによって駆動される空気圧縮機の吐出口が連通されており、この空気圧縮機により圧力空気が圧力空気室に圧入されると、プレイフィールド板５から空気が上方へ噴出するようになっている。
【００１２】
さらに、上方筺体２の長手方向両端には、ゴール７が設けられるとともに、上方筺体２の長手方向中央部上方には、防護ネット８が張設されており、図示されないプレイヤがマレット９を握って、プレイフィールド板５上のパック10を打てば、パック10はプレイフィールド板５の空気噴出孔６から噴出される空気によって軽くプレイフィールド板５上を浮上し、プレイフィールド板５上を軽快に滑走しうるようになっている。
【００１３】
図１ないし図５に示すエアゲーム機では、プレイフィールド板５の中心部の範囲Ａ内の空気噴出孔６の密度が他の部分の空気噴出孔６の密度よりも大きいため、範囲Ａ内に位置するパック10の浮遊状態は、他の部分のパック10の浮遊状態よりも、大量の加圧空気の供給で上方へパック10は浮いており、プレイフィールド板５に対するパック10の摩擦力が大幅に軽減され、パック10は範囲Ａ内では減速して静止することが少なくなく、プレイヤは、ゴール７より離れた範囲内のパック10を叩くことが殆んどなく、プレイヤがゴール７より移動することがない結果、エアホッケーゲームが中断することなく迅速に進行し、興趣が著しく高くなる。
【００１４】
また、プレイフィールド板５の中心から半径Ｒより小さな半径ｒの範囲ａ内の空気噴出孔６の密度を半径Ｒの範囲Ａの密度よりもさらに高めると、プレイフィールド板５から噴出される空気の噴出空気量の分布は図５に示すようになり、プレイフィールド板５の中心部でパック10が静止するということは、全くないといってもよい。
【００１５】
図１ないし図５に図示のエアゲーム機では、エアホッケーゲーム機１の内部構造を全く変えずに、従来のエアホッケーゲーム機の内部構造とし、プレイフィールド板５の空気噴出孔６の配置密度を変えるだけでよいため、優れた特性を有するにも拘わらず、低コストでエアホッケーゲーム機１を容易に得ることができる。
【００１６】
図６ないし図８に、エアゲーム機に用いる本発明によるパックの実施形態を示す。
【００１７】
パック10の概略形状は、略円板状であって、パック10の中心部分55は、軟化温度が高く自己潤滑性に富んだポリアセタール、またはナイロン、あるいはＡＢＳの如き硬質熱可塑性樹脂よりなり、パック10の外周部分56は、中心部分55よりも軟化温度が低いウレタン、エラストマーの如き軟質熱可塑性樹脂よりなり、軟質熱可塑性樹脂よりなる外周部分56は、硬質熱可塑性樹脂よりなる中心部分55に一体に溶融接合されている。
【００１８】
すなわち、図８に示されるように、キャビティを有する上型57および下型58を相互に一体に接合させた状態で、２５０℃程度に加熱された硬質熱可塑性樹脂を下型58の中心注入孔59よりキャビティ内に加圧注入し、この硬質熱可塑性樹脂が充分に硬化しない内に、軟質熱可塑性樹脂を下型58の外周部分60からキャビティ内に加圧注入すれば、中心部分55と外周部分56との境界部分は相互に溶融した状態で一体に接合される。
【００１９】
このパック10では、パック10の大部分を占める中心部分55が自己潤滑性に富みかつ硬質であるため、プレイフィールド板５上を低い摩擦力で軽快に滑走することができる。
【００２０】
また、中心部分55の外周に軟質熱可塑性樹脂製の外周部分56が一体に接合されているため、パック10が他のパック10や周壁11や図示しないゴール幅規定部材等に勢い良く衝突しても、外周部分56でその衝撃力が著しく緩和され、衝突騒音の発生が充分に抑制される。
【図面の簡単な説明】
【００２１】
【図１】エアホッケーゲーム機の斜視図である。
【図２】図１の平面図である。
【図３】図１の正面図である。
【図４】図１の側面図である。
【図５】図１の場合とは異なるエアホッケーゲーム機における空気噴出量分布を図示した側面図である。
【図６】本発明によるパックの平面図である。
【図７】図６のVII−VIIに沿って裁断した断面図である。
【図８】図６に示すパックを製造する成形型の説明断面図である。
【符号の説明】
【００２２】
０…床面、１…エアホッケーゲーム機、２…上方筺体、３…キャスタ、４…伸縮脚、５…プレイフィールド板、６…空気噴出孔、７…ゴール、８…防護ネット、９…マレット、10…パック、55…パック中心部分、56…パック外周部分、57…上型、58…下型、59…中心注入孔、60…外周注入孔。
【図１】
0004316592.tif 000002
【図２】
0004316592.tif 000003
【図３】
0004316592.tif 000004
【図４】
0004316592.tif 000005
【図５】
0004316592.tif 000006
【図６】
0004316592.tif 000007
【図７】
0004316592.tif 000008
【図８】
0004316592.tif 000009